(57)【要約】【課題】  移動する物品と機械的に制御可能な動作体との遭遇タイミングを時間軸上で静的に見せて誰でも簡単にタイミング調整ができるようにすること。【解決手段】  落下する物品のような運動物品と制御可能な動作体との遭遇タイミングを、動作体の動作制御によって調整するようにした操作装置に時間軸を表示する表示手段Ｄを設け、その時間軸ｔ上に前記運動物品の所定位置への到達タイミングＴａと前記動作体の同位置への到達タイミングＴｂとを表示するようにする。【選択図】図１
2008213944.tif 000002
【特許請求の範囲】
【請求項１】
運動物品と制御可能な動作体との遭遇タイミングを動作体の動作制御によって調整するようにした操作装置であって、該操作装置に時間軸を表示する表示手段を設け、その時間軸上に前記運動物品の所定位置への到達タイミングと前記動作体の同位置への到達タイミングとを表示するようにした操作装置。
【請求項２】
請求項１に記載の操作装置において、前記時間軸は、上下に対応させた平行な２本の時間軸であって、一方の時間軸には、前記運動物品の到達タイミングが表示され、他方の時間軸には、前記動作体の到達タイミングが表示されてなる操作装置。
【請求項３】
袋のシールタイミングを操作手段で調整するようにした包装装置であって、前記操作手段に時間軸を表示する表示手段を設け、該時間軸上に前記シールタイミングと、落下する被包装物が袋のシール位置の手前に到達する到達タイミングとを表示するようにした包装装置。
【請求項４】
請求項３に記載の包装装置において、前記時間軸は、上下に対応させた２本の平行な時間軸であって、一方の時間軸には、袋のシールタイミングが表示され、他方の時間軸には、被包装物の到達タイミングが表示されてなる包装装置。
【請求項５】
一対のシール手段の噛合タイミングを操作手段で調整するようにした包装装置であって、前記操作手段に時間軸を表示する表示手段を設け、該時間軸上に、前記シール手段の噛合タイミングと、落下する被包装物が前記シール手段の噛合位置の手前に到達する到達タイミングとを表示させて、前記操作手段の操作で、前記シール手段が噛合った直後に被包装物がシール手段の噛合位置の手前に到達するようにした包装装置。
【請求項６】
請求項５に記載の包装装置において、前記時間軸は、上下に対応させた２本の平行な時間軸であって、一方の時間軸には、前記シール手段の噛合タイミングが表示され、他方の時間軸には、前記被包装物の到達タイミングが表示されてなる包装装置。
【請求項７】
帯状の包材をチューブ状に曲成しながら該チューブ内に被包装物を充填して袋の天と地を一対のシール手段でシールするようにした包装装置であって、被包装物の落下経路に設けた物品検出センサと、該センサによる物品検出時点から前記シール手段が噛合うまでの遅れ時間を設定する設定手段と、設定された遅れ時間で一対のシール手段が噛合うように当該シール手段を動作制御する制御手段と、落下する被包装物の、前記センサの物品検出位置から前記シール手段の噛合位置に至るまでの落下時間を記憶する記憶手段とを設けて、その落下時間より遅れ時間の方を短く設定することにより、前記チューブ内を落下する被包装物が前記シール手段の噛合位置に到達する前に前記シール手段を噛み合わすようにした包装装置。
【請求項８】
帯状の包材をチューブ状に曲成しながら該チューブ内に被包装物を充填して袋の天と地を一対のシール手段でシールするようにした包装装置であって、前記チューブ内に被包装物を排出するホッパと、該ホッパによる被包装物の排出時点から前記シール手段が噛合うまでの遅れ時間を設定する設定手段と、設定された遅れ時間で一対のシール手段が噛合うように該シール手段を動作制御する制御手段と、被包装物が前記ホッパから前記シール手段の噛合位置に至るまでの落下時間を記憶した記憶手段とを設けて、記憶した落下時間より前記遅れ時間の方を短く設定することにより、落下する被包装物が前記シール手段の噛合位置に到達する前に前記シール手段を噛み合わすようにした包装装置。
【請求項９】
請求項７又は８の何れかに記載の包装装置において、被包装物の落下時間を被包装物の種類毎に記憶した記憶手段と、被包装物を指定する指定手段と、指定された被包装物の落下時間を前記記憶手段から読み出して前記表示手段に出力する読出手段とを備えてなる包装装置。
【発明の詳細な説明】
【技術分野】
【０００１】
この発明は、例えば、自由落下する運動物品と機械的に制御可能な動作体との遭遇タイミングを調整する装置及び該装置を使用した包装装置の改良に関する。
【背景技術】
【０００２】
移動する物品と機械的に制御可能な動作体との遭遇タイミングを調整しなければならない装置としては、例えば、落下する物品を袋内に充填してシールする縦型製袋包装装置（例えば、特許文献１）や、高速搬送される物品、或いは落下物品をエアージェットで選択的に排除するエアー選別装置等がある。
【０００３】
前記包装装置は、チューブ状に曲成された袋内に被包装物を充填しながら袋の天の部分と次の袋の地の部分とを左右のシール手段で挟持して熱シールして行くが、被包装物の充填タイミングとシール手段の噛合タイミングとがずれると、袋のシール部分に被包装物を噛み込むことがある。そのため、試運転時には、透明フイルムを使用してタイミングを調整するようにしている。
【０００４】
また落下する物品や高速搬送物品を選択的にエアージェットで吹き飛ばす選別装置においても、エアーを吹くタイミング調整を必要とする。
【特許文献１】特開平８−４８３０１
【発明の開示】
【発明が解決しようとする課題】
【０００５】
ところが、前者においては、落下する物品を見ながらのタイミング調整は極めて難しく、特にそれがポテトチップスのように軽くて不定形なものでは、流星のように長い尾を引きながら落下して行くので、被包装物の先端を噛んだのか後端を噛んだのか判然としなくなり、その結果、タイミング調整に手間取るという問題があった。
【０００６】
一方、後者のエアー選別装置においても、高速移動する物品をエアーで排除するタイミングは、一瞬のことなので、特に割れた飴玉のような小物を選別する場合には、そのタイミング調整に大変手間取るという問題があった。
【０００７】
この発明は、このような問題に鑑みてなされたもので、その目的とするところは、一瞬でしか捉えられない遭遇タイミングを時間軸上で静的に見せて誰でも簡単にタイミング調整ができる新たな操作装置及びそれを使用した包装装置を提供しようとするものである。
【課題を解決するための手段】
【０００８】
この発明は、このような課題を達成するために、落下する物品のような運動物品と制御可能な動作体との遭遇タイミングを、動作体の動作制御によって調整するようにした操作装置に時間軸を表示する表示手段を設け、その時間軸上に前記運動物品の所定位置への到達タイミングと前記動作体の同位置への到達タイミングとを表示するようにしたものである。
【０００９】
これにより各到達タイミングを時間軸上の点として静的に見せることができ、また両者のタイミングのずれも時間軸上で把握できるので、これまでは一瞬でしか捉えられなかった遭遇タイミングも時間軸上で簡単に調整することができる。
【００１０】
図１、２は、前記操作装置の操作説明図であって、前記時間軸を一つにする場合には、図１のように、表示手段Ｄに設けた一本の時間軸ｔに運動物品の到達タイミングＴａと動作体の到達タイミングＴｂとをそれぞれ表示する。また複数にする場合には、図２のように、平行な２本の時間軸ｔ１、ｔ２を表示手段Ｄに表示し、一方の時間軸ｔ１には、運動物品の到達タイミングＴａを、他方の時間軸ｔ２には、動作体の到達タイミングＴｂを表示する。勿論、各時間軸を上下逆にした配置構成でも良い。
【００１１】
前記到達タイミングＴａの表示に幅を持たせているのは、運動物品の到達タイミングにバラツキがあるためで、左側エッジＴｍが最も早い到達タイミング、右側エッジＴｎが最も遅い到達タイミングとなる。そして、このタイミングＴａに動作体の到達タイミングＴｂを重ねると、両者は遭遇したことになる。
【００１２】
一方、動作体の到達タイミングＴｂは、その動作モードを変えることによって変更できるように構成される。例えば、図１、２に示すアップキーｋ１を操作すれば、動作体は、遅れる方向に動作制御され、それに対応して表示上の到達タイミングＴｂは、右方向にシフトされる。またダウンキーｋ２を操作すれば、動作体は、進む方向に動作制御され、それに対応して表示上の到達タイミングＴｂも左方向にシフトされるように構成される。
【００１３】
こうした操作装置を使用した包装装置が、次に示すこの発明に係る第１の包装装置であって、この包装装置は、袋のシールタイミングを操作する操作手段に時間軸を表示する表示手段を設け、その時間軸上に袋のシールタイミングと落下する被包装物が袋のシール位置の手前に到達する到達タイミングとを表示するようにしたものである。
【００１４】
この場合も袋のシールタイミングと被包装物の到達タイミングとをそれぞれ時間軸上の点として静的に見せることができ、しかも両者のタイミングのずれも時間軸上で量的に把握できるので、袋のシール面に被包装物を噛み込ませない調整が時間軸上で極めて簡単にできる。
【００１５】
また次に示すものは、一対のシール手段を備えたこの発明に係る第２の包装装置であって、このシール手段の噛合タイミングを調整する操作手段に時間軸を表示する表示手段を設け、その時間軸上に、前記シール手段の噛合タイミングと、落下する被包装物が前記シール手段の噛合位置の手前に到達する到達タイミングとを表示して、この操作手段の操作で、シール手段が噛合った直後に被包装物がシール手段の噛合位置の手前に到達するようにしたものである。
【００１６】
これらの操作手段は、シール手段の動作モードを変えることができるもので、その動作モードの変更により、袋のシールタイミングやシール手段の噛合タイミングが変更できるようになっている。例えば、図１、２に示す操作画面のアップキーｋ１、ダウンキーｋ２を操作すれば、シール手段の動作モードが変更され、それに伴って表示手段Ｄに表示されたシールタイミングＴｂ、或いはシール手段の噛合タイミングＴｂが時間軸上でシフトされるようになっている。
【００１７】
この場合も時間軸を一つにする場合は、図１の到達タイミングＴａが、被包装物のシール位置手前の到達タイミングとなり、他方の到達タイミングＴｂが、袋のシールタイミングやシール手段の噛合タイミングとなる。また複数にする場合は、図２に示す態様となる。
【００１８】
ところで、包装装置のタイミング調整においては、シールタイミングＴｂを被包装物の到達タイミングＴａに重ねてしまうと、被包装物を噛み込むことになるので、これは避けねばならない。しかし、図１や図２のような表示では、各タイミング標識Ｔａ、Ｔｂを重ねてしまうおそれがあるので、図３の操作画面では、シール位置に最先に到達するタイミングを右側のエッジＴｍで表わし、その左側に目標領域Ｅを設けて、この領域Ｅに袋のシールタイミングＴｂやシール手段の噛合タイミングＴｂを重ねるようにしている。
【００１９】
なお、図３においても、図１、２と同一のものは、同一符号で示している。
【００２０】
このようにすれば、被包装物の先端部分がシール位置に到達する前にシール手段を噛み合わすことができるので、落下しているグループの中に遅れて到着するものがあっても、それを確実に袋内に収納してからシールすることができるし、さらに包装スピードがアップして先行するグループと後続グループとの間隔が接近しても、これを確実に分別してシールすることができる。
【００２１】
次に示すこの発明にかかる第３の包装装置は、図４の構成図と図５のタイムチャートに示すように、帯状の包材ｆをフォーマＦでチューブ状に曲成しながら該チューブＴｕ内に被包装物ｍを充填して袋Ｂの天と地を一対のシール手段Ｊでシールするようにした包装装置であって、前記被包装物ｍの落下経路に設けた物品検出センサＳと、該センサＳによる物品検出時点から前記シール手段Ｊが噛合うまでの遅れ時間ｔｂを設定する設定手段１と、設定された遅れ時間ｔｂで一対のシール手段Ｊが噛合うように前記シール手段Ｊを動作制御する制御手段２と、落下する被包装物ｍが、前記センサＳの物品検出位置から前記シール手段Ｊの噛合位置に至るまでの落下時間Ｔｓを記憶する記憶手段３とを設けて、その落下時間Ｔｓより遅れ時間ｔｂの方を短く設定することにより、チューブＴｕ内を落下する被包装物ｍが、前記シール手段Ｊの噛合位置に到達する前に前記シール手段Ｊを噛み合わすようにしたものである。
【００２２】
またこの発明に係る第４の包装装置は、同じく、帯状の包材ｆをチューブ状に曲成しながら該チューブＴｕ内に被包装物ｍを充填して袋Ｂの天と地を一対のシール手段Ｊでシールするようにした包装装置であって、前記被包装物ｍの落下経路に設けた物品検出センサＳと、該センサＳによる物品検出時点から前記シール手段Ｊが噛合うまでの遅れ時間ｔｂを設定する設定手段１と、設定された遅れ時間ｔｂで一対のシール手段Ｊが噛合うように該シール手段Ｊを動作制御する制御手段２と、落下する被包装物ｍが、前記センサＳの物品検出位置から前記シール手段Ｊの噛合位置に至るまでの落下時間Ｔｓを記憶する記憶手段３と、上下に平行な２本の時間軸ｔ１、ｔ２を表示し、一方の時間軸ｔ２上には、前記設定手段１によって設定された遅れ時間ｔｂを表示させ、他方の時間軸ｔ１上には、記憶した被包装物ｍの落下時間Ｔｓを表示させる表示手段４とを設けて、記憶した落下時間Ｔｓより前記遅れ時間ｔｂの方を短く設定することにより、落下する被包装物ｍが前記シール手段Ｊの噛合位置に到達する前に前記シール手段Ｊを噛み合わすようにしたものである。
【００２３】
前記センサＳは、被包装物が確認できる適宜な位置に設けることができるが、落下軌跡が一定しない被包装物を面で捉えなければならないので、通過面全域をカバーするライン型の投光器と受光器とで構成される。
【００２４】
なお、図４では、ホッパｈとシュートＣとの境目にセンサＳを設けているが、透明フイルムｆを用いる場合には、それより下方に設けることができる。
【００２５】
前記設定手段１は、手動、自動何れの構成も可能で、手動設定の場合には、例えば図３のアップキーｋ１、ダウンキーｋ２の操作で遅れ時間ｔｂを入力するようにし、自動設定の場合には、例えば落下時間Ｔｓを実測して記憶手段３に記憶しておき、それに基づいて遅れ時間ｔｂを算出する。例えばｔｂ＝ａ×Ｔｓ（但し、ａ＜１）の演算を行い、その結果を遅れ時間ｔｂとして自動設定するようにする。勿論、この手動、自動を切り替えるようにしても良い。
【００２６】
こうすれば、遅れ時間ｔｂを自動設定して運転できるし、また被包装物の形状変化によって落下タイミングに遅速が生じても、手動に切り替えて遅れ時間ｔｂをキー操作で補正することができる。
【００２７】
被包装物の落下時間Ｔｓは、形状によって多少のバラツキはあるが、フイルムｆを透明フイルムに換えて測定すれば、正確に求めることができるので、その実測値を記憶手段３に記憶しておく。その際、安全性を考慮して落下時間の最短なものを記憶しておく。また被包装物の種類によって落下時間が大きく異なるときは、後述のように被包装物の種類毎に落下時間を記憶させておき、指定手段５で被包装物を指定して該当する落下時間を読み出して表示手段４に出力するように構成する。
【００２８】
シール手段Ｊには、水平方向に往復運動するタイプと、ボックスモーションするタイプと、常時回転するロータリータイプとがあるが、何れのタイプも図５のタイムチャートに示すように、スタートしてから噛合うまでの移動時間ｔｄは、設定スピードによって決まってしまうので、遅れ時間ｔｂが決まると、シール手段Ｊのスタートタイミングも逆算によって決まってしまう。
【００２９】
そこで、制御手段２は、逆算で求めたスタートタイミングでシール手段Ｊをスタートさせ、それ以後は、所定の動作モードで動作させてシール手段Ｊを遅れ時間ｔｂ後に噛み合わせるようにしている。
【００３０】
ところで、こうした第３、第４の包装装置は、物品検出センサの検出タイミングを基準としたものであったが、次に示すこの発明に係る第５の包装装置は、このセンサを無くし、その代わりにホッパからの排出タイミングを基準としたものである。
【００３１】
即ちこの包装装置は、図６の構成図と図７のタイムチャートに示すように、帯状の包材ｆをチューブ状に曲成しながら該チューブＴｕ内に被包装物を充填して袋Ｂの天と地を一対のシール手段Ｊでシールするようにした包装装置であって、前記チューブＴｕ内に被包装物を排出するホッパＨと、該ホッパＨによる被包装物の排出時点からシール手段Ｊが噛合うまでの遅れ時間ｔｂを設定する設定手段１と、設定された遅れ時間ｔｂで一対のシール手段Ｊが噛合うようにシール手段Ｊの動作を制御する制御手段２と、被包装物が前記ホッパＨから前記シール手段Ｊの噛合位置に至るまでの落下時間Ｔｓを記憶した記憶手段３とを設けて、記憶した落下時間Ｔｓより前記遅れ時間ｔｂの方を短く設定することにより、被包装物が前記シール手段Ｊの噛合位置に到達する前に一対のシール手段Ｊを互いに噛み合わすようにしたものである。
【００３２】
またこの発明に係る第６の包装装置は、同じく帯状の包材ｆをチューブ状に曲成しながら該チューブＴｕ内に被包装物を充填して袋Ｂの天と地を一対のシール手段Ｊでシールするようにした包装装置であって、前記チューブＴｕ内に被包装物を排出するホッパＨと、該ホッパＨによる被包装物の排出時点から前記シール手段Ｊが噛合うまでの遅れ時間ｔｂを設定する設定手段１と、設定された遅れ時間ｔｂで一対のシール手段Ｊが噛合うようにその動作を制御する制御手段２と、排出された被包装物が前記シール手段Ｊの噛合位置に至るまでの落下時間Ｔｓを記憶する記憶手段３と、平行な２本の時間軸ｔ１、ｔ２を表示し、一方の時間軸ｔ２上には、前記設定手段１によって設定された遅れ時間ｔｂを表示させ、他方の時間軸ｔ１上には、記憶した被包装物の落下時間Ｔｓを表示させる表示手段４とを設けて、記憶した落下時間Ｔｓより遅れ時間ｔｂの方を短く設定して、落下する被包装物が前記シール手段Ｊの噛合位置に到達する前に前記シール手段Ｊを噛み合わすようにしたものである。
【００３３】
前記ホッパＨは、包装装置からの排出要求信号に基づいて開閉制御されるもので、被包装物を一定重量に計量して排出する自動計量装置等の計量ホッパ、或いは自動計量装置と包装装置との間に設けられて、自動計量装置から排出された被包装物を一時的に保持する図６のタイミングホッパＨとして構成される。
【００３４】
こうしたホッパＨでは、図７のタイムチャートに示すように、シール手段Ｊのスタートタイミングｔｄは、前述と同様に逆算によって求まるので、制御手段２は、そのタイミングｔｄでシール手段Ｊをスタートさせる。
【００３５】
またこれら第３〜第６の包装装置においても、被包装物の種類によって落下時間が大きく異なるときは、図４、６に示すように、それらの落下時間を被包装物の種類毎に記憶手段３に記憶しておき、指定手段５で被包装物を指定すると、指定された被包装物の落下時間を記憶手段３から読み出して表示手段４に出力するように構成することができる。
【００３６】
前記指定手段５は、例えば数値キーで構成され、被包装物の呼出番号を入力すると、その番号に対応する落下時間が指定される。
【００３７】
また、図８の操作画面に示すように、表示手段４に新たな時間軸ｔ３を設け、この時間軸ｔ３上に被包装物の物品検出位置における通過時間Ｔｃを表示させたり、ホッパＨの排出タイミングを表示させたりしても良い。このようにすれば、被包装物の長さや排出タイミングを時間軸ｔ３上で把握することができるので、通過時間を表示する場合には、落下中の被包装物がどこまで尾を引いて落ちて来るかが判り、それに基づいてタイミングのずれを予知することができる。またホッパの排出タイミングを表示する場合は、計量装置との連携タイミングを時間軸ｔ３上で把握することができる。
【発明の効果】
【００３８】
この発明は、以上述べたように構成されるので、次の効果を奏する。
【００３９】
請求項１の操作装置においては、運動物品の所定位置への到達タイミングと、それを受け止めたり排除したりする動作体の同位置への到達タイミングとを、時間軸上でそれぞれ表示するようにしたので、これまでは一瞬でしか捉えられなかった両者の遭遇タイミングを時間軸上の点として静的に読み取ることができ、また両者のタイミングのずれも時間軸上で把握することができる。したがって、これまでの遭遇タイミングの調整が極めて簡単になり、手間取ることがない。
【００４０】
請求項２の操作装置においては、一方の時間軸に運動物品の到達タイミングを表示し、他方の時間軸に動作体の到達タイミングを表示するので、両者の重なり具合が良くわかり、調整の際の操作ミスをなくすことができる。
【００４１】
請求項３の包装装置においては、時間軸上に袋のシールタイミングと、落下する被包装物が袋のシール位置手前に到達する到達タイミングとを表示するので、両者のタイミングを時間軸上の点として静的に読み取ることができ、しかも両者のタイミングのずれも時間軸上で量的に把握することができる。したがって、袋のシール面に被包装物を噛み込ませない調整が簡単になり、調整の際に生ずる包装不良を少なくすることができる。
【００４２】
請求項４の包装装置においては、一方の時間軸にシールタイミングを表示し、他方の時間軸に被包装物の到達タイミングを表示するので、両者の重なり具合が良くわかり、調整の際の操作ミスをなくすことができる。
【００４３】
請求項５の包装装置においては、一対のシール手段の噛合タイミングと落下する被包装物がその噛合位置の手前に到達する到達タイミングとを時間軸上に表示して、操作手段でシール手段の噛合タイミングを調整するので、シール面に噛み込みを生じさせない調整が時間軸上で簡単にできる。
【００４４】
請求項６の包装装置においては、一方の時間軸にシール手段の噛合タイミングを表示し、他方の時間軸に被包装物の到達タイミングを表示するので、両者の重なり具合が良くわかり、調整の際の操作ミスをなくすことができる。
【００４５】
請求項７の包装装置においては、物品検出センサによる物品検出時点からシール手段が噛合うまでの遅れ時間を設定し、その遅れ時間で一対のシール手段が噛合うように当該シール手段を動作制御するとともに、落下する被包装物の、前記センサの物品検出位置から前記シール手段の噛合位置に至るまでの落下時間を記憶して、その落下時間より遅れ時間の方を短く設定することにより、落下する被包装物がシール手段の噛合位置に到達する前にシール手段を噛み合わせるようにしたので、噛み込みを生じさせない調整を、被包装物の落下時間から自動設定することができるし、また遅れ時間を入力することによって手動調整することもできる。したがって、被包装物の落下条件が変化して自動調整によるタイミングがずれても、それを手動で簡単に補正することができる。
【００４６】
請求項８の包装装置においては、ホッパによる被包装物の排出時点からシール手段が噛合うまでの遅れ時間を設定し、その遅れ時間で一対のシール手段が噛合うように当該シール手段を動作制御するとともに、ホッパからシール手段の噛合位置に至るまでの被包装物の落下時間を記憶して、その落下時間より遅れ時間の方を短く設定することにより、落下する被包装物がシール手段の噛合位置に到達する前にシール手段を噛み合わせるようにしたので、噛み込みを生じさせない調整を、ホッパの排出タイミングから自動設定することができるし、また遅れ時間を入力することによって手動調整することもできる。したがって、被包装物の落下条件が変化して自動調整によるタイミングがずれても、それを手動で簡単に補正することができる。
【００４７】
請求項９の包装装置においては、落下時間を被包装物の種類毎に記憶し、被包装物を指定すると、指定された被包装物の落下時間が読み出されて表示手段に出力されるので、被包装物の種類によって落下時間が大きく異なっても、それらに対応させたタイミング調整が可能になる。
【発明を実施するための最良の形態】
【００４８】
次にこの発明の一実施例を図面に基づいて説明する。
【００４９】
図４、６の構成図は、シール手段が回転駆動するロータリータイプの縦型製袋包装装置の概略構成を示したもので、帯状の包材（フイルム）ｆをチューブ状に曲成するフォーマＦと、その下方において、フイルムチューブＴｕを側面から吸着保持してこれを下方に引っ張る一対のプルダウンベルトＰＢと、フイルムチューブＴｕの合わせ目を縦シールする縦シール手段ＶＳと、縦シールされたフイルムチューブＴｕを水平方向から熱シールして所定サイズの袋Ｂに成形する一対のシール手段Ｊ、Ｊとで構成される。
【００５０】
前記各シール手段Ｊ，Ｊは、互いに逆方向に回転するアームａｒ、ａｒと、それらの先端に取り付けられて、フイルムチューブＴｕを左右方向から挟持して熱シールする一対のシールジョーｊ、ｊとを備えて、アームａｒ、ａｒをサーボモータＭ１で回転制御しながら、水平方向に移動可能にされた回転軸ＳＨ、ＳＨをサーボモータＭ２で水平方向に揺動させて、左右のシールジョーｊ，ｊに面対称のＤ字形運動軌跡を描かせるようにしている。
【００５１】
またシールジョーｊ，ｊの上面には、スプリングで水平方向に伸縮自在にされたシャッタ板ｊ１、ｊ１が取り付けられ、シールジョーｊ、ｊの噛合いに先行して閉じることにより、袋Ｂのシール面への被包装物の進入を阻止するようにしている。またジョーＪ、Ｊの下面には、同じくスプリングで水平方向に伸縮自在にされたしごき板ｊ２、ｊ２が取り付けられ、シール直前の直線走行において、しごき板ｊ２、ｊ２を閉じることにより、袋Ｂのシール部をしごいてシール面への噛み込みを防止するようにしている。
【００５２】
なお、図４の符号Ｃは、組合せ計量装置の集合シュートであり、図６の符号Ｈは、上記集合シュートＣの排出口に設置されるタイミングホッパである。
【００５３】
このような包装装置は、通常は、上方に設置された組合せ計量装置等と連携して動作するように構成されるので、次にこの連携動作をからめて、まず図４の動作を図９のタイムチャートをもとに説明する。
【００５４】
はじめに、包装装置は、シールジョーｊ、ｊを所定の原点位置に待機させ、準備が整うと計量装置に排出要求信号を出力して排出完了を待つ。一方、計量装置は、排出要求信号を受信すると、組合せ計量を実行して所定重量の被包装物ｍを排出するとともに、包装装置に対して排出完了信号を出力する。また上記の組合せ計量が成立しなかった場合には、この完了信号に代えて不良信号を出力する。但し、不良信号を出力しない態様もある。
【００５５】
包装装置が排出完了信号を受信すると、シールジョーｊ、ｊをスタートさせるタイマＴｘが始動し、設定時間ｔｘが経過すると、制御手段２は、モータＭ１、Ｍ２を制御してシールジョーｊ、ｊを所定の動作モードで回転させ、移動時間ｔｄ時間後には実線で示す噛合位置まで回転させて左右のシャッタ板ｊ１、ｊ１を噛み合わす。その直後に、被包装物ｍの先端がシャッタ板ｊ１、ｊ１の噛合位置に到達するが、シャッタ板ｊ１、ｊ１は、既に閉じているので、シールジョーｊ、ｊへの噛み込みは防止される。
【００５６】
続いてシールジョーｊ、ｊは、そこから下方に直線走行して袋Ｂをしごき、水平位置Ｌに来ると、左右のシールジョーｊ、ｊが密着して袋Ｂをシールしながら下降して、図示しないカッタで袋Ｂを裁断して、再び円弧を描いて原点にリターンしていく。
【００５７】
その行程中、プルダウンベルトＰＢは、シールジョーｊ、ｊの１回転に同期してフイルムｆを１袋分送り、それが終了するタイミングで、包装装置は、再び排出要求信号を計量装置に出力して次の包装サイクルに入る。
【００５８】
一方、計量装置が排出完了信号を出力しなかった場合は、包装装置は、なにもせずに次のサイクルタイムの立ち上げで、再び排出要求信号を出力する。
【００５９】
こうして制御手段２は、シールジョーｊ、ｊを所定の動作モードで連続回転させながら、袋の所定部分にシールを施し、裁断して行くが、２回目のサイクルからは、スタートタイマＴｘを使用せずに、所定の動作モードでシールジョーｊ、ｊを回転させていく。
【００６０】
図１０は、図４に対応する装置の操作画面の一例であって、画面中央には、３本の時間軸ｔ１、ｔ２、ｔ３を表示し、上段の時間軸ｔ３には、センサＳ位置を通過する被包装物ｍの通過時間Ｔｃを表示し、中段ｔ２には、センサＳによる検出時点からシャッタ板ｊ１、ｊ１が噛合うまでの遅れ時間ｔｂを表示し、下段には、センサＳ位置からシャッタ板ｊ１、ｊ１の噛合位置までの被包装物ｍの落下時間Ｔｓを表示している。
【００６１】
前記落下時間Ｔｓは、記憶手段３に記憶されており、被包装物の呼出番号を図示しない数値キー５で入力すると、読出手段６を介して対応する落下時間Ｔｓが記憶手段３から読み出されて表示手段４に出力される。表示手段４は、読み出された落下時間Ｔｓを図１０で示すように右側のエッジＥｇで表わし、その左側に所定幅の目標領域Ｅを設けて、後述する標識Ｍの位置合わせを容易にしている。
【００６２】
この目標領域Ｅの幅は、包装装置のサイクルタイムと連動しており、サイクルタイムが短い時、即ち包装スピードが早い時は、幅が小さくなり、長い時は、幅が大きくなって調整精度が変わるようにしている。
【００６３】
一方、遅れ時間ｔｂは、アップキーｋ１ 、ダウンキーｋ２の操作で設定できるようにされ、設定された値は、時間に変換されて遅れ時間ｔｂを表わす標識Ｍとして時間軸ｔ２上に表示されるようになっている。
【００６４】
次にこうした操作画面を使った噛合タイミングの調整について説明する。まず図１０のアップキーｋ１、ダウンキーｋ２を操作して標識Ｍを目標領域Ｅのほぼ中央に一致させる。その操作過程においては、標識Ｍの移動に伴ってシールジョーｊ、ｊのスタート時点が移動する。即ちシールジョーｊ、ｊが原点位置をスタートしてからシャッタ板ｊ１、ｊ１の噛合位置に至るまでの移動時間ｔｄは、設定された包装スピードで決まるので、標識Ｍを移動させると、即ち遅れ時間ｔｂを変更すると、それに連動して移動時間ｔｄの起点（スタート時点）が移動し、その結果、ジョーｊ、ｊのスタートタイマＴｘの設定時間ｔｘが決まるのである。
【００６５】
この実施例では、シャッタ板ｊ１、ｊ１の噛合位置を固定させて前記移動時間ｔｄを求めたが、袋サイズやしごき距離が変わると、この噛合位置が変わることがあるので、その場合には、上記移動時間ｔｄを補正し、必要とあれば、落下時間Ｔｓも補正して表示手段４に表示する。すると、標識Ｍのこれまでの表示位置がずれるので、前述と同様な操作でこれを目標領域Ｅのほぼ中央に一致させる。これにより、同様にしてスタートタイマＴｘの設定時間ｔｘが決まり、それに基づいてシールジョーｊ、ｊのスタートが制御されることになる。
【００６６】
次に図６に対応する装置の動作を図１１のタイムチャートをもとに説明する。
【００６７】
はじめに、包装装置は、シールジョーｊ、ｊを所定の原点位置に待機させ、準備が整うと計量装置に排出要求信号を出力して排出完了を待つ。一方、計量装置は、排出要求信号を受信すると、直ちにタイミングホッパＨから被包装物を排出するとともに、包装装置に対して排出完了信号を出力する。続いて計量装置は、組合せ計量を実行して所定重量の被包装物ｍを求め、それを空になったタイミングホッパＨへ排出して、次の排出要求信号を待つ。また組合せ計量が成立しなかった場合には、排出完了信号に代えて不良信号を出力する。但し、信号を出力しない態様もある。
【００６８】
一方、包装装置は、排出完了信号を受信すると、シールジョーｊ、ｊのスタートタイマＴｘを始動させ、設定時間ｔｘが経過すると、制御手段２は、モータＭ１，Ｍ２を制御してシールジョーｊ、ｊを所定の動作モードで回転させる。その後の動作は、図４に対応する装置と同様となる。
【００６９】
ところで、この図６に対応する装置では、遅れ時間ｔｂや落下時間Ｔｓは、ホッパＨからの排出時点を基準とするが、それらを時間軸上で表わすと、図１０の操作画面とほぼ同じ内容になるのでここでは省略する。
【００７０】
また遅れ時間ｔｂ、落下時間Ｔｓ、シールジョーｊ、ｊの原点から噛合位置に至るまでの移動時間ｔｄ、並びにスタートタイマＴｘの設定時間ｔｘの間には、図１１のタイムチャートで示す関係が成立するので、前述と同様に標識Ｍを目標領域Ｅのほぼ中央に一致させると、それに伴ってスタートタイマＴｘの設定時間ｔｘが決まり、それがタイムアップすると、シールジョーｊ、ｊがスタートすることになる。
【００７１】
ところで、被包装物が塩や砂糖の付着したスナック菓子とかポテトチップスのように壊れやすいものでは、分離した塩とかチップの微小破片が絶え間なく袋内に落下してきて、袋にしごき動作を与えても、そうした塩や破片がシール面に噛み込まれることがある。そこで、図４、６に対応する装置では、プルダウンベルトＰＢとシール手段Ｊ、Ｊとの間に、それらの落下を一時的に阻止する一対のシャッタ１０、１０を設けて、シールジョーｊ、ｊが閉じる前に、シャッタ１０、１０を瞬時閉じて、閉じたその位置からシールジョーｊ、ｊの噛合位置までの区間に落下物のない空白域を形成するようにしている。
【００７２】
このシャッタ１０は、ロータリーシリンダ１１の回転軸にＬ字型のアーム１２を取り付けたもので、所定のタイミングになると制御手段２の指令でアーム１２がほぼ９０度瞬間的に揺動してフイルムチューブＴｕを挟むようになっている。またその揺動タイミングは、図１０と同様な操作画面で手動調整され、またシールジョーｊ、ｊの噛合タイミングｔｂから逆算して求めることもできる。即ち、シャッタ１０を閉じた時に、そこをすり抜けた落下物が、袋Ｂ内に入るタイミングでシールジョーｊ、ｊを閉じるようにシャッタ１０の開閉タイミングを自動設定するのである。これにより、予測できない落下物のシール面への噛み込みを完全に防止することができる。
【００７３】
なお、このシャッタ１０は、上記実施例の他に、水平方向に開閉するシャッタ板で構成することができるが、連続的に搬送されるフイルムｆにジャミングを生じさせないように、高速で開閉制御させる必要がある。
【産業上の利用可能性】
【００７４】
また上記実施例では、シール手段が回転駆動するロータリータイプの縦型製袋包装装置について説明したが、この発明は、それ以外の形式、例えばシール手段がボックスモーションを行うタイプのもの、或いは単に水平面内で往復運動するタイプのものなど、種々の縦型製袋包装装置に適用することができる。
【００７５】
さらには、高速移動する運動物品と機械的に制御可能な動作体との遭遇タイミングを調整するようにした装置、例えばエアー選別装置とか、落下する物品をゲートを閉じながら受けるホッパ装置等にも適用が可能である。
【図面の簡単な説明】
【００７６】
【図１】本発明に係る操作装置の操作説明図である。
【図２】本発明に係る操作装置の操作説明図であり、特に時間軸を２本設けた態様である。
【図３】本発明に係る包装装置の操作説明図である。
【図４】本発明に係る包装装置の構成図である。
【図５】図４に対応する包装装置のタイムチャートである。
【図６】本発明に係る包装装置の構成図である。
【図７】図６に対応する包装装置のタイムチャートである。
【図８】本発明に係る包装装置の操作説明図である。
【図９】図４に対応する実施例装置のタイムチャートである。
【図１０】本発明の一実施例の操作画面の一例である。
【図１１】図６に対応する実施例装置のタイムチャートである。
【符号の説明】
【００７７】
Ｄ    表示手段
Ｔａ  運動物品或いは被包装物の到達タイミング
Ｔｂ  動作体の到達タイミング、或いは袋のシールタイミング
ｔ    時間軸
ｔ１  運動物品或いは被包装物の到達タイミングを表わす時間軸
ｔ２  動作体の到達タイミング、或いは袋のシールタイミングを表わす時間軸
ｔ３  被包装品の通過時間、或いはホッパの排出タイミングを表示する時間軸
ｔｂ  遅れ時間
Ｔｓ  落下時間
Ｊ    シール手段
Ｔｕ  チューブ
Ｓ    物品検出センサ
Ｈ    ホッパ
１    設定手段
２    制御手段
３    記憶手段
４    表示手段
５    指定手段
６    読出手段
【図１】
2008213944.tif 000003
【図２】
2008213944.tif 000004
【図３】
2008213944.tif 000005
【図４】
2008213944.tif 000006
【図５】
2008213944.tif 000007
【図６】
2008213944.tif 000008
【図７】
2008213944.tif 000009
【図８】
2008213944.tif 000010
【図９】
2008213944.tif 000011
【図１０】
2008213944.tif 000012
【図１１】
2008213944.tif 000013